(57)【要約】【課題】試験信号の周波数と伝送損失の診断結果との対応関係を容易に把握することができる伝送損失診断システムを提供する。【解決手段】伝送損失診断システムは信号発生器１及びレベルチェッカー２を備える。信号発生器１は、連続波信号を生成する生成部と、連続波信号の周波数を可変制御する制御部と、連続波信号を少なくとも連続波信号の周波数に関する情報で変調して変調信号を生成する変調部と、変調信号を試験信号として外部出力する外部出力部と、を有する。レベルチェッカー２は、診断対象である伝送系３を介して伝送された試験信号を外部入力する外部入力部と、外部入力部によって外部入力された試験信号を復調して少なくとも連続波信号の周波数に関する情報を取得する情報取得部と、外部入力部によって外部入力された試験信号のレベルを検出して伝送系３の伝送損失を診断する診断部と、を有する。【選択図】図１
2018061207.tif 000002
【特許請求の範囲】
【請求項１】
信号発生器と、レベルチェッカーと、を備える伝送損失診断システムであって、
前記信号発生器は、
連続波信号を生成する生成部と、
前記連続波信号の周波数を可変制御する制御部と、
前記連続波信号を少なくとも前記連続波信号の周波数に関する情報で変調して変調信号を生成する変調部と、
前記変調信号を試験信号として外部出力する外部出力部と、を有し、
前記レベルチェッカーは、
診断対象である伝送系を介して伝送された前記試験信号を外部入力する外部入力部と、
前記外部入力部によって外部入力された前記試験信号を復調して少なくとも前記連続波信号の周波数に関する情報を取得する情報取得部と、
前記外部入力部によって外部入力された前記試験信号のレベルを検出して前記伝送系の伝送損失を診断する診断部と、を有することを特徴する伝送損失診断システム。
【請求項２】
前記制御部は、前記連続波信号のレベルを可変制御し、
前記変調部は、前記連続波信号を前記連続波信号の周波数に関する情報及び前記連続波信号のレベルに関する情報で変調し、
前記情報取得部は、前記外部入力部によって外部入力された前記試験信号を復調して前記連続波信号の周波数に関する情報及び前記連続波信号のレベルに関する情報を取得し、
前記診断部は、前記情報取得部によって取得された前記連続波信号のレベルに関する情報に基づいて、前記伝送系の伝送損失を診断する請求項１に記載の伝送損失診断システム。
【請求項３】
連続波信号を生成する生成部と、
前記連続波信号の周波数を可変制御する制御部と、
前記連続波信号を少なくとも前記連続波信号の周波数に関する情報で変調して変調信号を生成する変調部と、
前記変調信号を試験信号として外部出力する外部出力部と、を有することを特徴とする信号発生器。
【請求項４】
診断対象である伝送系を介して伝送された試験信号を外部入力する外部入力部と、
前記外部入力部によって外部入力された前記試験信号を復調して少なくとも前記試験信号の搬送信号の周波数に関する情報を取得する情報取得部と、
前記外部入力部によって外部入力された前記試験信号のレベルを検出して前記伝送系の伝送損失を診断する診断部と、を有することを特徴とするレベルチェッカー。
【発明の詳細な説明】
【技術分野】
【０００１】
本発明は、高周波信号を伝送する伝送路の伝送損失を診断する伝送損失診断システム並びに当該伝送損失診断システムに用いられる信号発生器及びレベルチェッカーに関する。
【背景技術】
【０００２】
アンテナを配線系に接続せずに配線系の検査ができる放送受信用の配線試験装置が特許文献１で提案されている。特許文献１で提案されている配線試験装置は、発信器と受信器とを備えている。発信器は試験対象である配線系の混合器に接続され、受信器は試験対象である配線系のテレビコンセントに接続される。
【０００３】
このような接続状態で、発信器から出力された試験信号が配線系を介して受信器に入力され、受信器では伝達された試験信号の信号強度を検知して配線系の良否が判定される。
【先行技術文献】
【特許文献】
【０００４】
【特許文献１】特開平６−３３１６８２号公報
【発明の概要】
【発明が解決しようとする課題】
【０００５】
特許文献１で提案されている配線試験装置において各種テレビ放送信号にそれぞれ対応する試験信号を用いて各種テレビ放送信号それぞれに関して配線系の良否を判定する場合、発信器が試験信号の周波数を変更することになる。しかしながら、受信器は発信器から出力される試験信号の周波数を把握できない。このため、試験信号の周波数と配線系の良否との対応関係を把握することは、特許文献１で提案されている配線試験装置を用いて配線試験を実施する作業者に委ねられることになる。その結果、特許文献１で提案されている配線試験装置を用いた配線試験は、作業負担が大きく、作業ミスを招き易い試験となる。
【０００６】
本発明は、上記の状況に鑑み、試験信号の周波数と伝送損失の診断結果との対応関係を容易に把握することができる伝送損失診断システム並びに当該伝送損失診断システムに用いられる信号発生器及びレベルチェッカーを提供することを目的とする。
【課題を解決するための手段】
【０００７】
上記目的を達成するために本発明に係る伝送損失診断システムは、信号発生器と、レベルチェッカーと、を備える伝送損失診断システムであって、前記信号発生器は、連続波信号を生成する生成部と、前記連続波信号の周波数を可変制御する制御部と、前記連続波信号を少なくとも前記連続波信号の周波数に関する情報で変調して変調信号を生成する変調部と、前記変調信号を試験信号として外部出力する外部出力部と、を有し、前記レベルチェッカーは、診断対象である伝送系を介して伝送された前記試験信号を外部入力する外部入力部と、前記外部入力部によって外部入力された前記試験信号を復調して少なくとも前記連続波信号の周波数に関する情報を取得する情報取得部と、前記外部入力部によって外部入力された前記試験信号のレベルを検出して前記伝送系の伝送損失を診断する診断部と、を有する構成（第１の構成）とする。
【０００８】
また、上記第１の構成の伝送損失診断システムにおいて、前記制御部は、前記連続波信号のレベルを可変制御し、前記変調部は、前記連続波信号を前記連続波信号の周波数に関する情報及び前記連続波信号のレベルに関する情報で変調し、前記情報取得部は、前記外部入力部によって外部入力された前記試験信号を復調して前記連続波信号の周波数に関する情報及び前記連続波信号のレベルに関する情報を取得し、前記診断部は、前記情報取得部によって取得された前記連続波信号のレベルに関する情報に基づいて、前記伝送系の伝送損失を診断する構成（第２の構成）であってもよい。
【０００９】
上記目的を達成するために本発明に係る信号発生器は、連続波信号を生成する生成部と、前記連続波信号の周波数を可変制御する制御部と、前記連続波信号を少なくとも前記連続波信号の周波数に関する情報で変調して変調信号を生成する変調部と、前記変調信号を試験信号として外部出力する外部出力部と、を有する構成（第３の構成）とする。
【００１０】
上記目的を達成するために本発明に係るレベルチェッカーは、診断対象である伝送系を介して伝送された試験信号を外部入力する外部入力部と、前記外部入力部によって外部入力された前記試験信号を復調して少なくとも前記試験信号の搬送信号の周波数に関する情報を取得する情報取得部と、前記外部入力部によって外部入力された前記試験信号のレベルを検出して前記伝送系の伝送損失を診断する診断部と、を有する構成（第４の構成）とする。
【発明の効果】
【００１１】
本発明によると、試験信号の周波数と伝送損失の診断結果との対応関係を容易に把握することができる伝送損失診断システム並びに当該伝送損失診断システムに用いられる信号発生器及びレベルチェッカーを実現することができる。
【図面の簡単な説明】
【００１２】
【図１】本発明の一実施形態に係る伝送損失診断システムの概略構成を示す図である。
【図２】信号発生器の一構成例を示す図である。
【図３】図２に示す信号発生器の正面図である。
【図４】レベルチェッカーの一構成例を示す図である。
【図５】図４に示すレベルチェッカーの正面図である。
【図６】信号発生器の他の構成例を示す図である。
【発明を実施するための形態】
【００１３】
本発明の実施形態について図面を参照して以下に説明する。図１は、本発明の一実施形態に係る伝送損失診断システムの概略構成を示す図である。本発明の一実施形態に係る伝送損失診断システムは、信号発生器１と、レベルチェッカー２と、を備える。信号発生器１の外部出力端子１０１は診断対象である伝送系３の入力端子３０１に接続され、レベルチェッカー２の外部入力端子２０１は診断対象である伝送系３の端末端子３０２に接続される。
【００１４】
信号発生器１の外部出力端子１０１から高周波電気信号である試験信号が外部出力される。伝送系３を介して伝送された試験信号はレベルチェッカー２の外部入力端子３０１に外部入力される。
【００１５】
伝送系３は、例えば一戸建ての家屋、１棟の集合住宅等に敷設される。伝送系３がテレビジョン放送を受信する際には、アンテナまたはＣＡＴＶ網からの信号が伝送系３の入力端子３０１に入力され、伝送系３の端末端子３０２にテレビジョン受像機等の端末機器が接続される。なお、本実施形態では、伝送系３は単一の入力端子３０１を有しているが複数の入力端子３０１を有してもよい。また、本実施形態では、伝送系３は複数の端末端子３０２を有しているが端末端子３０２は単一であってもよい。伝送系３は、光信号の伝送経路を有する構成であってもよく、光信号の伝送経路を有さない構成であってもよい。伝送系３が光信号の伝送経路を有する構成である場合、伝送系３が、電気信号を光信号に変換するＥ／Ｏ変換器と、光信号を電気信号に変換するＶ−ＯＮＵ（Video-Optical Network Unit）と、を有するようにすればよい。
【００１６】
図２は、信号発生器１の一構成例を示す図である。図２に示す信号発生器１は、外部出力端子１０１と、発振部１０２と、利得調整部１０３と、増幅器１０４と、分岐器１０５と、信号検出部１０６と、制御回路１０７と、操作部１０８と、表示部１０９と、変調回路１１０と、バッテリ１１１と、を有する。
【００１７】
発振部１０２、利得調整部１０３、増幅器１０４、分岐器１０５、及び信号検出部１０６は、請求項に記載されている「生成部」の一例である。制御回路１０７は、請求項に記載されている「制御部」の一例である。変調回路１１０は、請求項に記載されている「変調部」の一例である。外部出力端子１０１は、請求項に記載されている「外部出力部」の一例である。
【００１８】
発振部１０２は正弦波信号を発振する。発振部１０２から発振される正弦波信号は利得調整部１０３に供給される。利得調整部１０３としては、例えば減衰量の調整が可能な減衰器を用いることができる。利得調整部１０３から出力される正弦波信号は増幅器１０４によって増幅される。増幅器１０４から出力される正弦波信号は分岐器１０５に供給される。分岐器１０５の分岐出力端から出力される正弦波信号のレベルが信号検出部１０６によって検出され、信号検出部１０６のレベル検出結果に応じて利得調整部１０３の利得が調整される。その結果、分岐器１０５の幹線出力端から出力される正弦波信号（連続波信号）のレベルが一定になる。つまり、信号発生器１は、連続波信号の自動利得制御機能を有している。
【００１９】
制御回路１０７は、発振部１０２に対して発振周波数を指示することにより、発振部１０２から発振される正弦波信号の周波数ひいては連続波信号の周波数を可変制御する。連続波信号の周波数は、放送信号の各チャンネルの中心周波数に概ね一致する周波数の中から選択されることが好ましい。放送信号の種類は特に限定されないが、例えば、ＢＳ右旋放送信号、ＣＳ右旋放送信号、ＢＳ左旋放送信号、ＣＳ左旋放送信号、地上放送信号等を挙げることができる。
【００２０】
制御回路１０７は、操作部１０８から出力される指示内容に基づいて、連続波信号の周波数を可変制御し、制御内容を知らせる表示や指示入力を促す表示等を表示部１０９に行わせる。操作部１０８及び表示部の表示画面は図３に示すように信号発生器１の正面に配置される。連続波信号の周波数を可変制御する形態としては、例えば、放送信号の各チャンネルの中心周波数に概ね一致する周波数を一定間隔で順次切り替えていく形態、作業者が操作部１０８を操作することで放送信号の各チャンネルの中心周波数に概ね一致する周波数の中から所望の周波数のみを抽出し、その抽出した所望の周波数を一定間隔で順次切り替えていく形態等を挙げることができる。なお、制御回路１０７が上記抽出した所望の周波数を不揮発的に記憶しておけることが望ましい。更には、制御回路１０７が上記抽出した所望の周波数を複数の抽出パターンで不揮発的に記憶しておけることが望ましい。この場合、作業者が操作部１０８を操作することによって複数の抽出パターンから所望の抽出パターンを読み出せるようにしておくことが望ましい。
【００２１】
４Ｋ或いは８Ｋの衛星放送であるＢＳ左旋放送及びＣＳ左旋放送は２０１８年から実用放送が予定されており、現時点ではアンテナ等によって放送信号を取得することができない。しかしながら、既存の伝送系３を診断対象とし、連続波信号の周波数を、予定されているＢＳ左旋放送信号及びＣＳ左旋放送信号の各チャンネルの中心周波数に概ね一致する周波数の中から選択できる構成にすることで、既存の伝送系３におけるＢＳ左旋放送信号及びＣＳ左旋放送信号の各チャンネルの伝送損失を診断することが可能になる。これにより、既存の伝送系３を改修せずにＢＳ左旋放送及びＣＳ左旋放送を問題なく伝送できるか否かを簡易的に判定することが可能となる。
【００２２】
制御回路１０７は、連続波信号の周波数に関する情報を変調回路１１０に供給する。変調回路１１０は、連続波信号を連続波信号の周波数に関する情報でＦＳＫ（Frequency Shift Keying）変調して変調信号を生成する。なお、連続波信号の周波数を或る放送信号の或るチャンネルの中心周波数に概ね一致されている場合に、変調回路１１０によって生成される変調信号の周波数帯域が、当該或る放送信号の当該或るチャンネルの周波数帯域内に収まるように、ＦＳＫ変調が行われる。
【００２３】
外部出力端子１０１は、変調回路１１０によって生成された変調信号を試験信号として外部出力する。
【００２４】
信号発生器１は、可搬型の機器であり、バッテリ１１１から出力される直流電力によって駆動する。
【００２５】
図４は、レベルチェッカー２の一構成例を示す図である。図４に示すレベルチェッカー２は、外部入力端子２０１と、増幅器２０２と、分岐器２０３と、復調回路２０４と、信号検出部２０５と、制御回路２０６と、操作部２０７と、表示部２０８と、記憶媒体インターフェース２０９と、バッテリ２１０と、を有する。
【００２６】
外部入力端子２０１は、請求項に記載されている「外部入力部」の一例である。復調回路２０４及び制御回路２０６は、請求項に記載されている「情報取得部」の一例である。信号検出部２０５及び制御回路２０６は、請求項に記載されている「診断部」の一例である。制御回路２０６は、「情報取得部」の一部として機能する一方で、「診断部」の一部としても機能する。
【００２７】
外部入力端子２０１は、診断対象である伝送系３を介して伝送された試験信号を外部入力する。
【００２８】
外部入力端子２０１から増幅器２０２に試験信号が供給され、増幅器２０２は外部入力端子２０１から供給された試験信号を増幅する。
【００２９】
増幅器２０２から出力される試験信号は分岐器２０３に供給される。分岐器２０３の分岐出力端から出力される試験信号のレベルが信号検出部２０５によって検出され、信号検出部２０５のレベル検出結果が制御回路２０６に供給される。分岐器２０３の幹線出力端から出力される試験信号は復調回路２０４によって復調される。制御回路２０６は、復調回路２０４から供給される復調信号に基づいて、連続波信号の周波数に関する情報を取得する。
【００３０】
制御回路２０６は、信号発生器１の自動利得制御によって定まる信号発生器１から出力される試験信号のレベルに関する情報（レベル情報）を不揮発的に記憶している。制御回路２０６は、上記のレベル情報と、信号検出部２０５のレベル検出結果とに基づいて、伝送系３の伝送損失を診断する。伝送損失の診断結果としては、例えば伝送損失の数値自体としてもよく、伝送損失の数値と閾値との比較によって良否判定した結果としてもよい。
【００３１】
制御回路２０６は、上述の通り連続波信号の周波数に関する情報を取得しているので、試験信号の周波数と伝送損失の診断結果とを対応付けすることができる。制御回路２０６は、試験信号の周波数と伝送損失の診断結果とを対応付けてから、その対応付けの結果を表示部２０８に表示させたり、記憶媒体インターフェース２０９に装着される記憶媒体（例えばμＳＤカードなど）に記憶させたりする。したがって、本発明の一実施形態に係る伝送損失診断システムによると、試験信号の周波数と伝送損失の診断結果との対応関係を容易に把握することができる。
【００３２】
なお、制御回路２０６は、操作部１０８から出力される指示内容に基づいて、表示部２０８及び記憶媒体インターフェース２０９に対する制御の内容を決定する。
【００３３】
レベルチェッカー２は、可搬型の機器であり、バッテリ２１０から出力される直流電力によって駆動する。
【００３４】
上述した図２に示す信号発生器１及び図４に示すレベルチェッカー２を備える伝送損失診断システムでは、信号発生器１から出力される試験信号のレベルが一定であるため、レベルチェッカー２が信号発生器１から出力される試験信号のレベルを把握できている。
【００３５】
また、信号発生器１から出力される試験信号のレベルが可変であっても、信号発生器１から出力される試験信号の周波数に応じて信号発生器１から出力される試験信号のレベルが一意に定まるように信号発生器１が連続波信号のレベルを調整していれば、レベルチェッカー２は信号発生器１から出力される試験信号のレベルを把握することができる。なぜなら、レベルチェッカー２は試験信号を復調することで連続波信号の周波数を把握することができるからである。
【００３６】
一方、信号発生器１から出力される試験信号の周波数に応じて信号発生器１から出力される試験信号のレベルが一意に定まらない場合には、変調信号を用いて連続波信号の周波数に関する情報を信号発生器１からレベルチェッカー２に伝送するだけでは対応できない。信号発生器１から出力される試験信号の周波数に応じて信号発生器１から出力される試験信号のレベルが一意に定まらない場合には、例えば信号発生器１を図６に示す構成にすればよい。
【００３７】
図６に示す信号発生器１は、制御回路１０７が信号検出部１０６を制御する点及び制御回路１０７が連続波信号のレベルに関する情報を変調回路１１０に供給する点で、図１に示す信号発生器１と異なっている。
【００３８】
図６に示す信号発生器１では、制御回路１０７は、信号検出部１０６を制御することで、自動利得制御における目標利得の値を可変し、連続波信号のレベルに関する情報を変調回路１１０に供給する。連続波信号のレベルは自動利得制御における目標利得の値に応じて一意に定まる。制御回路１０７は、操作部１０８から出力される指示内容に基づいて、連続波信号の周波数と連続波信号のレベルとの関係を決定する。
【００３９】
図６に示す信号発生器１では、変調回路１１０は、連続波信号を連続波信号の周波数に関する情報及び連続波信号のレベルに関する情報でＦＳＫ変調して変調信号を生成する。これにより、図６に示す信号発生器１と対で用いる図２に示すレベルチェッカー２では、制御回路２０６は、復調回路２０４から供給される復調信号に基づいて、連続波信号の周波数に関する情報及び連続波信号のレベルに関する情報を取得する。
【００４０】
本明細書中に開示されている種々の技術的特徴は、上記実施形態のほか、その技術的創作の主旨を逸脱しない範囲で種々の変更を加えることが可能である。例えば上述した実施形態では、レベルチェッカーに対して装脱着可能な記憶媒体に診断結果データが書き込まれたが、これに代わって又はこれに加えて診断結果データを有線通信又は無線通信によってレベルチェッカーの外部に出力できるようにしてもよい。また、上述した実施形態では、変調信号の変調方式がＦＳＫ変調であったが、他のデジタル変調方式を採用してもよい。
【符号の説明】
【００４１】
１  信号発生器
２  レベルチェッカー
３  伝送系
１０１  外部出力端子
１０２  発振部
１０３  利得調整部
１０４、２０２  増幅器
１０５、２０３  分岐器
１０６、２０５  信号検出部
１０７、２０６  制御回路
１０８、２０７  操作部
１０９、２０８  表示部
１１０  変調回路
１１１、２１０  バッテリ
２０１  外部入力端子
２０４  復調回路
２０９  記憶媒体インターフェース
３０１  入力端子
３０２  端末端子
【図１】
2018061207.tif 000003
【図２】
2018061207.tif 000004
【図３】
2018061207.tif 000005
【図４】
2018061207.tif 000006
【図５】
2018061207.tif 000007
【図６】
2018061207.tif 000008